(57)【特許請求の範囲】
【請求項１】
ベースボディ（２）と、該ベースボディ（２）に一体成形されている固定フランジ（１０）とから成る、プラグインコネクタハウジング（１）であって、
前記固定フランジ（１０）は、少なくとも一つの固定孔（１１）を有しており、
前記固定フランジ（１０）には、前記ベースボディ（２）側とは反対側の面において、前記固定フランジ（１０）の形状にほぼ一致するシールエレメント（２０）が配置されており、
前記シールエレメント（２０）は、シールスリーブ（２１）を形成する、少なくとも一つのスリーブ状の一体成形部を有しており、
前記シールスリーブ（２１）は、前記固定孔（１１）内に配置されており、且つ、
前記シールスリーブ（２１）は、前記固定孔（１１）を少なくとも完全に貫通している、プラグインコネクタハウジング（１）において、
前記固定孔（１１）は、前記固定フランジ（１０）の、前記ベースボディ（２）側とは反対側の面から、前記固定フランジ（１０）の、前記ベースボディ（２）側の面へと狭まっていることを特徴とする、プラグインコネクタハウジング（１）。
【請求項２】
前記固定孔（１１）は円錐形に狭まっている、請求項１に記載のプラグインコネクタハウジング（１）。
【請求項３】
前記シールスリーブ（２１）の外輪郭は、前記固定孔（１１）に対応する円錐形の形状を有している、請求項２に記載のプラグインコネクタハウジング（１）。
【請求項４】
前記固定フランジ（１０）には環状に延在するカラー（１２）が一体成形されており、該環状に延在するカラー（１２）は、前記ベースボディ（２）から離れる方向に延びている、請求項１乃至３のいずれか一項に記載のプラグインコネクタハウジング（１）。
【請求項５】
前記環状に延在するカラー（１２）は、前記シールエレメント（２０）を取り囲んでいる、請求項４に記載のプラグインコネクタハウジング（１）。
【請求項６】
前記環状に延在するカラー（１２）は、前記シールエレメント（２０）よりも低い、請求項４又は５に記載のプラグインコネクタハウジング（１）。
【請求項７】
前記シールエレメント（２０）は、前記固定フランジ（１０）側とは反対側の面において、前記シールエレメント（２０）の形状に相応して延在している少なくとも一つのシールリップ（２２）を有している、請求項１乃至６のいずれか一項に記載のプラグインコネクタハウジング（１）。
【請求項８】
前記シールエレメント（２０）は、二つのシールリップ（２２，２２’）を有しており、
第１のシールリップ（２２）は、前記シールエレメント（２０）の外側の縁部に延在しており、
第２のシールリップ（２２’）は、前記シールエレメント（２０）の内側の縁部に延在している、請求項７に記載のプラグインコネクタハウジング（１）。
【請求項９】
前記シールエレメント（２０）には、前記固定フランジ（１０）側とは反対側の面において、少なくとも一つの支持リング（２４）が一体成形されており、
前記支持リング（２４）は、前記固定フランジ（１０）側の面に設けられている前記シールスリーブ（２１）の領域に配置されており、且つ、
前記支持リング（２４）は、前記シールスリーブ（２１）の直径にほぼ一致する直径、及び、前記シールリップ（２２）の高さにほぼ一致する高さを有している、請求項７又は８に記載のプラグインコネクタハウジング（１）。
【請求項１０】
前記固定フランジ（１０）は、前記シールエレメント（２０）側の面において、少なくとも一つの突起部（１３）を有しており、
前記突起部（１３）は、前記シールエレメント（２０）の対応する凹部（２３）に係合している、請求項１乃至９のいずれか一項に記載のプラグインコネクタハウジング（１）。
【請求項１１】
前記シールエレメント（２０）は、弾性のシール材料から作製されている、請求項１乃至１０のいずれか一項に記載のプラグインコネクタハウジング（１）。
【発明の詳細な説明】
【技術分野】
【０００１】
本発明は、独立請求項１の上位概念に記載されている、プラグインコネクタハウジングに関する。
【０００２】
その種のプラグインコネクタハウジングは、ハウジング又は機器を組み付け面に固定するために必要とされる。これを介して、適切なプラグインコネクタを用いたハウジング又は機器との接続部を形成することができる。そのようなプラグインコネクタハウジングは、外部の工場大気に対して、例えば敏感な構造部分又は接触部分を有した差込接続部のシールを保証する。
【０００３】
フランジが設けられている組み立て可能なハウジングを、フランジに対応付けられているシールによって、環境影響から保護することが広く知られている。
【０００４】
しかしながら、フランジを固定するために用いられるねじ結合部が、ねじとシールとフランジとの間の貫通接続部の領域において、同様に周囲に対してシールされていることは保証されていない。
【背景技術】
【０００５】
独国特許出願公開第１０３５７８８１号明細書には、ハウジングに設けられているハウジングフランジ及び相応に形成されている組み付け壁のための相互に対向しているシール面間に配置するためのシール、特にフランジシールが開示されている。フランジシールは、外周に環状に延在するカラーが設けられている底部プレートを有しており、このカラーには、底部プレートの上方に離隔された位置において、少なくとも一つの平面成形部が設けられている。この平面成形部は、その下方に位置する底面と共に少なくとも一つのポケット部を形成しており、そのポケット部には相互に上下に配置されている開口部が設けられており、また開口部のうちの少なくとも一つはシールリップを有している。
【０００６】
平面成形部は、ねじのねじ込みによって歪み、それによって破壊されるので、上記の文献において提案されているシールは所望の効果を奏することができないという欠点を有している。つまり、ねじ結合部の十分なシールは保証されていない。
【０００７】
従来技術から公知の他の解決手段も、ねじ結合部の領域においては十分なシール作用が達成されないという問題を常に抱えている。
【０００８】
シールを備えている従来技術から公知のプラグインコネクタハウジングの更なる欠点は、一体成形又は接着されていないシールが、組み付け時に過剰に押し込まれることによって変形することである。これによって、ハウジングと組み付け面との間のシールが押されてずらされ、シールが作用しないという事態も生じる可能性がある。
【発明の概要】
【発明が解決しようとする課題】
【０００９】
本発明の課題は、環境影響に対する十分なシールが保証されるように、プラグインコネクタハウジングを形成することである。
【００１０】
この課題は、独立請求項１の特徴部分に記載されている構成によって解決される。
【００１１】
本発明の有利な実施の形態は、従属請求項に記載されている。
【００１２】
本発明は、従来技術から既に十分に公知であるようなプラグインコネクタハウジングに関する。そのようなプラグインコネクタハウジングは、コンタクトピン及び／又はソケットが内部に保持されるプラグインボディ及び／又は絶縁ボディを収容するためのベースボディから構成されている。ベースボディは差込面を有しており、この差込面は相応のプラグコネクタを接続するために設けられており、また必要に応じてプラグコネクタに係止させることができる。
【００１３】
ベースボディの差込面、並びにベースボディに収容されるコンポーネントについてはこれ以上説明しない。この関係において、本発明に別の影響を与えず、従って互換性がある多くの実施の形態が従来技術から公知である。
【００１４】
更にベースボディは、固定フランジが配置されている組み付け側を有している。固定フランジをベースボディと一体的に形成することができるか、又は、別個にベースボディに固定することができる。その種の固定フランジもやはり従来技術から十分に公知である。有利には、固定フランジには複数の固定孔が設けられており、それらの固定孔を用いて、固定フランジを組み付け面にねじ止めすることができる。
【００１５】
組み付けは有利にはねじを用いて行われる。しかしながら、従来技術から公知の他の種類の組み付け、例えばリベット止めも可能である。より良い理解のために、以下ではねじ結合についてのみ説明するが、機能的に等しいあらゆる種類の結合も同様に考えられる。
【００１６】
固定フランジと組み付け面との間には、好適には、シールエレメントが配置される。このシールエレメントは、プラグインコネクタハウジングが組み付け面に固定されることによって、固定フランジと組み付け面との間で押圧され、それによりシール作用を達成する。
【００１７】
本発明によれば、シールエレメントが少なくとも一つのシールスリーブを有している。有利には、シールスリーブの数は、固定フランジにおける固定孔の数と一致する。シールエレメントと同様に有利には弾性のシール材料から形成されている各シールスリーブは、それぞれ一つの固定孔に対応付けられている。
【００１８】
本発明によれば、各シールスリーブが固定孔を少なくとも完全に貫通している。シールエレメントが完全に固定フランジに当接されると、シールスリーブは少なくとも固定孔から僅かに突出する。
【００１９】
シールスリーブの突出部は有利には０．０５ｍｍから１．０ｍｍまでの範囲に設定されている。好適には、０．１ｍｍから０．５ｍｍまでの範囲に設定されている。特に有利には、０．２ｍｍから０．４ｍｍまでの範囲に設定されている。
【００２０】
シールスリーブの突出部は、プラグインコネクタハウジングを組み付け面に組み付けるために使用されるねじを直接的にシールするために設けられている。突出部はねじ止めによる固定の際に押し込まれ、それによって半径方向外側に押し付けられる。従って、シールスリーブの突出部は、ねじと固定フランジとの間においてシール作用が達成されるように変形する。
【００２１】
更には、シールエレメントの圧縮／押圧を限定するため、またシールエレメントの破壊を回避するために、圧縮できるストロークが制限される。このために、固定フランジには環状に延在するカラーが配属されている。環状に延在するカラーは、シールエレメントを少なくとも部分的に取り囲んでいる。
【００２２】
カラーの高さは、シールエレメントの厚みよりも小さい。これによって、シールエレメントは少なくとも部分的にカラーを超えて延びている。しかしながら、シールエレメントの押圧は、カラーを超えて延びているシールエレメントの部分でしか実現されない。
【００２３】
プラグインコネクタハウジングの別の有利な実施の形態は、従属請求項に記載されている。
【００２４】
本発明の実施例を図面に示し、また以下において詳細に説明する。
【図面の簡単な説明】
【００２５】
【図１】プラグインコネクタハウジングの立体図を示す。
【図２】シールエレメントの立体図を示す。
【図３】別のシールエレメントの斜視図を示す。
【図４】シールエレメントを備えたプラグインコネクタハウジングを示す。
【図５】シールエレメントを備えたプラグインコネクタハウジングの断面図を示す。
【発明を実施するための形態】
【００２６】
図１には、本発明によるプラグインコネクタハウジング１が立体図で示されている。プラグインコネクタハウジング１は、ベースボディ２と固定フランジ１０とから形成される。ベースボディ２は、実質的に中空に形成されており、また、プラグインコネクタコンポーネントを収容するために設けられている。
【００２７】
ここでは、プラグインコネクタコンポーネントとして、プラグインコネクタの絶縁ボディ、モジュール式の収容フレーム、又は、従来技術から公知の類似の部材が考えられる。プラグインコネクタコンポーネントを固定するために、ベースボディ２には、複数の（ここでは４つの）固定収容部４が設けられている。嵌め込まれたコンポーネントを固定収容部に固定することができる。
【００２８】
更に、ベースボディ２の二つの面にはそれぞれ開口部が設けられている。ここでは下面側に示されている一方の開口部は、プラグインコネクタハウジング１を対応側のプラグインコネクタに接続するために使用される。ベースボディ２に嵌め込まれたプラグインコネクタコンポーネントは組み付けられた状態においてこの開口部から突出し、対応側プラグインコネクタのコンポーネントと接続される。
【００２９】
図１において上面側に示されているように、ベースボディ２は第２の開口部を有している。この第２の開口部は、収容されたプラグインコネクタコンポーネントと接続されている線路を更に案内するために使用される。それらの線路を、第２の開口部を介して機器又はハウジングへと案内することができる。
【００３０】
第２の開口部側において、ベースボディ２は固定フランジ１０を有している。この固定フランジ１０は好適には、線路が通される第２の開口部を取り囲んでいる。
【００３１】
固定フランジ１０には複数の固定孔１１が設けられている。それらの固定孔１１を介して、固定フランジ１０をねじ又は類似の固定手段によって組み付け面３に固定することができる。この実施の形態においては、固定フランジ１０に４つの固定孔が設けられている。
【００３２】
本発明によれば、固定フランジ１０は環状に延在するカラー１２を有している。このカラー１２は、固定フランジ１０の縁部に沿ってその全周にわたり延在している。また、カラー１２が途切れている実施の形態も考えられる。本発明によれば、全周にわたり延在しているカラー１２は必要ない。また、組み付けのための支持点として使用されるカラーセグメントも考えられる。
【００３３】
更に本発明によれば、固定フランジ１０には複数の突起部１３が一体成形されている。ここでは６つの突起部１３が、シールエレメント２０を固定するために設けられている。シールエレメント２０は、固定フランジ１０と組み付け面３との間に配置される。
【００３４】
本発明によれば、カラー１２も突起部１３も、固定フランジ１０の、ベースボディ２側とは反対側に設けられている。
【００３５】
図２には、本発明によるシールエレメント２０が立体図で示されている。シール機能を有している弾性材料から作製されている平型のエレメントは、固定フランジ１０とほぼ同じ形状を有している。
【００３６】
この図から見て取れるように、シールエレメント２０の固定フランジ１０側の面は、本発明によれば、複数のシールスリーブ２１を有している。固定孔１１の数に対応する、ここでは４つのシールスリーブ２１は、固定フランジ１０の固定孔１１と一直線になるように方向付けられている。
【００３７】
シールエレメント２０が固定フランジ１０に当接されると、シールスリーブ２１はそれぞれ、対応する固定孔１１に進入する。
【００３８】
固定フランジ１０とシールエレメント２０との間のより良好なシールを達成するために、シールエレメント２０には付加的にシールリップ２２”が一体成形されている。シールリップ２２”は、線路を通すための開口部の全周にわたり延在しており、また、固定フランジ１０とシールエレメント２０との間の間隙をシールする。
【００３９】
プラグインコネクタハウジング１を組み付け面３に組み付ける際のシールエレメント２０の位置ずれを回避するために、シールエレメント２０には付加的に凹部２３が成形されている。凹部２３は固定フランジの突起部１３を収容するために設けられている。これによって、特に薄い壁の領域における、シールエレメント２０の位置ずれは生じなくなる。
【００４０】
図３には、図２に示したシールエレメント２０が、下面側から見た別の立体図として示されている。ここで下面とは、プラグインコネクタハウジング１が組み付けられた状態において組み付け面３と接触する面である。
【００４１】
シールエレメント２０の固定フランジ１０側とは反対側の面は、環状に延在する二つのシールリップ２２，２２’を有している。内側の縁部にはシールリップ２２’が延在しており、また外側の縁部にはシールリップ２２が延在している。
【００４２】
途切れの無い二つのシールリップ２２，２２’によって、シールエレメント２０と組み付け面３との間の特に良好なシールが達成される。
【００４３】
更に、図示されている側のシールエレメント２０の面は複数の支持リング２４を有している。それらの支持リング２４はシールスリーブ２１と同数設けられており、また、各支持リング２４は、シールエレメント２０の反対側の面に設けられているシールスリーブ２１に正確に対応付けられて設けられている。
【００４４】
支持リング２４は、反対側からシールスリーブ２１が平型のシールエレメント２０を押圧する領域においてシールエレメント２０を支持するために使用される。これによって、シールエレメント２０に一体成形されているシールリップ２２，２２’が補償される。従って、本発明によれば、支持リング２４は、シールリップ２２，２２’の高さに相当する高さを有している。
【００４５】
図４には、シールエレメント２０が装着されたプラグインコネクタハウジング１が示されている。シールエレメント２０は固定フランジ１０に配置されており、また、環状に延在しているカラー１２によって取り囲まれている。シールエレメント２０のシールスリーブ２１は固定孔１１に挿入されている（この図４からは見て取ることはできない。図５を参照されたい）。
【００４６】
最後に、図５には、本発明によるプラグインコネクタハウジング１の断面図が示されている。ここで左半分には、組み付けられていない状態のプラグインコネクタハウジング１が示されており、右半分には、ねじによって組み付け面３に組み付けられた状態のプラグインコネクタハウジング１が示されている。
【００４７】
図５の左側からは、シールスリーブ２１がどのように固定孔１１に進入しているかが見て取れる。ここでは、シールスリーブ２１が固定孔１１を完全に貫通しており、またシールエレメント２０が完全に嵌め込まれた状態で、シールスリーブ２１は固定孔１１を超えて突出している（ここでは上側に示されている）。
【００４８】
図示されているこの実施の形態では、固定孔１１もシールスリーブ２１も円錐形に形成されている。この構成によって、特に有利なシール機能が得られる。
【００４９】
シールエレメント２０の下側に示されている面においては、二つのシールリップ２２，２２’が見て取れる。シールリップ２２，２２’の厚さを補償するために、シールスリーブ２１の下方に支持リング２４が設けられている。
【００５０】
図５の右側の領域では、プラグインコネクタハウジング１がねじによって組み付け面３に固定されている。
【００５１】
形成される押圧力によって、シールエレメント２０は、プラグインコネクタハウジング１がカラー１２に載着されるまで押し付けられる。その際に、シールリップ２２，２２’は組み付け面３とシールエレメント２０との間をシールする。それと同時に、シールリップ２２”はシールエレメント２０を固定フランジ１０に対してシールする。
【００５２】
固定孔１１を超えたシールスリーブ２１の本発明による突出部はねじ頭によって押し付けられ、その結果、ねじ頭においても、埃、ごみ、液体等の環境影響物の侵入は生じ得ない。
【符号の説明】
【００５３】
１  プラグインコネクタハウジング
２  ベースボディ
３  組み付け面
４  固定収容部
１０  固定フランジ
１１  固定孔
１２  カラー
１３  突起部
２０  シールエレメント
２１  シールスリーブ
２２  シールリップ
２３  凹部
２４  支持リング
【図１】
0006033463.tif 000002
【図２】
0006033463.tif 000003
【図３】
0006033463.tif 000004
【図４】
0006033463.tif 000005
【図５】
0006033463.tif 000006